(57)【特許請求の範囲】
【請求項１】
上部が開口したタンク本体と、
該タンク本体の前記開口を覆うように配置され、手洗い用の吐水を受ける手洗い鉢と、
前記タンク本体から前記手洗い鉢へ水を供給する給水管と、
前記給水管に接続され、前記手洗い鉢へ水を吐出する手洗い吐水管と、を有する手洗い付き洗浄装置における手洗い吐水管の接続構造であって、
前記手洗い吐水管は、前記手洗い鉢に向かって水を吐出する吐水口部と、一端が該吐水口部に接続され水を通水する通水管と、前記手洗い鉢に形成された被係合部に係合する係合部と、を有し、
前記給水管は、前記通水管との接続部分に設けられ、前記係合部による係合の解除を規制する接続管を有する、手洗い吐水管の接続構造。
【請求項２】
前記係合部は、前記通水管の外面との間に隙間を有し、該通水管に対して接近又は離隔する方向に弾性変形可能な係合爪を有し、
前記接続管は、前記係合爪と前記通水管の外面との間の隙間に差し込まれる差し込み部を有する請求項１に記載の手洗い吐水管の接続構造。
【請求項３】
前記係合部は、前記係合爪と前記通水管の外面との間の隙間の側方を覆うように設けられた側壁部をさらに有する請求項２に記載の手洗い吐水管の接続構造。
【発明の詳細な説明】
【技術分野】
【０００１】
本発明は、手洗い吐水管の接続構造に関する。
【背景技術】
【０００２】
従来、トイレ等の便器に設置される洗浄装置には、手洗い用の手洗い鉢及び手洗い鉢に向けて水を吐水する手洗い吐水管が設置されることが知られている。手洗い吐水管は、手洗い鉢に形成された挿入孔を挿通し、洗浄装置側から水を供給されて手洗い鉢に吐水するように構成されている。手洗い吐水管は、手洗い鉢の挿入孔に挿通させるだけでは固定が十分でなく、不安定なため、手洗い鉢の裏側からナットで固定されることが提案されている（例えば、特許文献１参照）。また、ナット以外でも、クリップを用いて手洗い吐水管を固定させることも知られている。
【先行技術文献】
【特許文献】
【０００３】
【特許文献１】特許第３５１４１１２号公報
【発明の概要】
【発明が解決しようとする課題】
【０００４】
しかしながら、ナットやクリップ等で手洗い吐水管を固定するためには、手洗い鉢を裏返して作業する必要があった。
【０００５】
本発明は、容易に施工でき、手洗い吐水管を手洗い鉢に不可逆的に固定可能な手洗い吐水管の接続構造を提供することを目的とする。
【課題を解決するための手段】
【０００６】
上記目的を達成するため本発明は、上部が開口したタンク本体（例えば、後述のタンク本体１０）と、該タンク本体の前記開口を覆うように配置され、手洗い用の吐水を受ける手洗い鉢（例えば、後述の手洗い鉢２）と、前記タンク本体から前記手洗い鉢へ水を供給する給水管（例えば、後述の給水管４）と、前記給水管に接続され、前記手洗い鉢へ水を吐出する手洗い吐水管（例えば、後述の手洗い吐水管３）と、を有する手洗い付き洗浄装置（例えば、後述の手洗い付き洗浄装置１）における手洗い吐水管の接続構造であって、前記手洗い吐水管は、前記手洗い鉢に向かって水を吐出する吐水口部（例えば、後述の吐水ヘッド３１）と、一端が該吐水口部に接続され水を通水する通水管（例えば、後述の通水管３２）と、前記手洗い鉢に形成された（例えば、後述の被係合部２５１）被係合部に係合する係合部（例えば、後述の係合部３４）と、を有する手洗い吐水管の接続構造を提供する。
【０００７】
前記給水管は、前記通水管との接続部分に設けられ、前記係合部による係合の解除を規制する接続管（例えば、後述の接続管５）を有することが好ましい。
【０００８】
前記係合部は、前記通水管の外面との間に隙間を有し、該通水管に対して接近又は離隔する方向に弾性変形可能な係合爪（例えば、後述の係合爪３４３）を有し、前記接続管は、前記係合爪と前記通水管の外面との間の隙間に差し込まれる差し込み部（例えば、後述の差し込み部５２）を有することが好ましい。
【０００９】
前記係合部は、前記係合爪と前記通水管の外面との間の隙間の側方を覆うように設けられた側壁部（例えば、後述の側壁部３４２）をさらに有することが好ましい。
【発明の効果】
【００１０】
本発明によれば、容易に施工でき、手洗い吐水管を手洗い鉢に不可逆的に固定可能な手洗い吐水管の接続構造を提供することができる。
【図面の簡単な説明】
【００１１】
【図１】本実施形態の洗浄装置を示す図である。
【図２】本実施形態の手洗い鉢の断面概略図である。
【図３】本実施形態の手洗い吐水管及び接続管の分解斜視図である。
【図４】図１のＡ−Ａ断面図である。
【発明を実施するための形態】
【００１２】
以下、本発明の一実施形態について、図面を参照しながら詳しく説明する。図１は、本実施形態に係る手洗い付き洗浄装置１（以下洗浄装置と言う）の斜視図である。本明細書において、後ろ側とは、洗浄装置１をトイレの便器に配置した際に、壁側に位置する方を意味し、前側とは、便器が位置する方を意味する。また、左、右はそれぞれ、前側から後ろ側を見た状態における左右を意味する。
洗浄装置１は、トイレの便器（図示せず）の後方に配置され、便器に洗浄水を流すとともに、手洗い用の水を吐水するように構成される。洗浄装置１は、タンク本体１０と、手洗い鉢２と、手洗い吐水管３と、給水管４と、接続管５と、を有する。
【００１３】
図１に示すように、タンク本体１０は、上部が開口した二重式のタンクであり、内側タンク１１と、外側タンク１２と、を有する。
内側タンク１１は、内部に水を貯留する容器である。内側タンク１１には、メインバルブ１１３から延びる水供給管１１１が接続される。また、内側タンク１１は、水供給管１１１からメインバルブ１１３を介して水の供給を受けるボールタップ１１２を内部に有する。内側タンク１１は、例えば樹脂により構成される。
外側タンク１２は、内側タンク１１の周囲を覆うカバーである。外側タンク１２は、洗浄装置１の外形を形成する。外側タンク１２は、例えば樹脂や陶器により構成される。
【００１４】
給水管４は、タンク本体１０から手洗い鉢２へ水を供給する管である。給水管４は、一方の端部がボールタップ１１２に接続されて、他方の端部が手洗い鉢２の基端部へと延びる。給水管４は、他方の端部側に設けられる接続管５を有する。接続管５については後に詳述する。
【００１５】
手洗い鉢２は、タンク本体１０の開口を覆うように配置される。手洗い鉢２は、凹部２１と、前壁部２２と、後壁部２３と、排水口２４と、挿入孔２５（図２参照）と、を有する。
凹部２１は、手洗い鉢２の上面が略中央側に向かって凹んで形成される。
排水口２４は、凹部２１の略中央部に配置される。排水口２４は、手洗い鉢２に吐水された吐水を受け、内側タンク１１へ排水する。
前壁部２２は、手洗い鉢の手前側であり、凹部２１の底面から上方に延びる高さの低い部分である。
後壁部２３は、凹部２１の後ろ側に立設される。後壁部２３は、前壁部２２よりも高くなっている。後壁部２３は、所定の厚みを有し、後壁部２３の後ろ側の面では、下端縁から左右方向中央側に凸となるように切欠き２３ａとなっている（図４参照）。後壁部２３の前側の面は、凹部２１へ連続する。
【００１６】
図２は、手洗い鉢２の断面概略図であり、手洗い吐水管３を省略して示している。図２は、後に参照する図４のＢ−Ｂ線断面の概略図である。
図２に示すように、挿入孔２５は、手洗い鉢２の後壁部２３の上端における厚みの部分に形成されている。挿入孔２５は、手洗い鉢２の後壁部２３における左右方向の中央部に、後壁部２３内を上下に延びるように形成される。挿入孔２５は、後述する手洗い吐水管３が挿入される孔である。挿入孔２５は、挿入孔２５の下方側に、内側に向かって幅が狭くなる被係合部２５１を有して形成されている。
【００１７】
図３は、本実施形態の手洗い吐水管３及び接続管５を示す分解斜視図である。図４は、図１のＡ−Ａ断面図であり、係合部３４と接続管５とが結合した状態を示している。手洗い吐水管３は、通水管３２と、吐水口部としての吐水ヘッド３１と、一対の係合部３４と、を有する。
【００１８】
吐水ヘッド３１は、図１に示すように、手洗い吐水管３が、手洗い鉢２に取り付けられた状態で、手洗い鉢２の後壁部２３側の上端部から手前側に露出する。吐水ヘッド３１は、吐水ヘッド３１の下面に形成される吐水孔３３を有し、水を手洗い鉢２の凹部２１へ向けて吐出する。
【００１９】
図３に示すように、通水管３２は、給水管４から給水される水を通水させる管状の部分である。通水管３２は、一端が吐水ヘッド３１に接続され、他端が給水管４に接続される。
【００２０】
係合部３４は、通水管３２の他端側に、通水管３２を挟んで対向するように一対設けられる。係合部３４は、上下に長い略直方形をしており、下面は解放されている。係合部３４は、上面３４１と、向かい合う一対の側壁部３４２と、側壁部３４２に直交するとともに通水管３２の外面に対向する側に位置する係合爪３４３と、を有する。
【００２１】
上面３４１は、通水管３２の延びる方向に対して直交する外側方向へ突出する。上面３４１は、四辺から構成され、一方の第１の辺３４１ａは弧を描いて円筒状の通水管３２に連続し、一方の辺に対向する他方の辺３４１ｂが通水管３２から離間した外側に位置し、これら一方と他方の辺を結ぶ方向に一対の辺３４１ｃが延びている。
【００２２】
一対の側壁部３４２は、上下に長い略長方形に形成され、上面３４１の一対の辺３４１ｃから下垂して設けられる。側壁部３４２の長手方向に延びる辺の一方は、通水管３２に連続する。側壁部３４２の短手方向の幅は、上面３４１の一対の辺３４１ｃよりもわずかに短く、上面３４１の一対の辺３４１ｃの最も外側までは延びていない。
【００２３】
一対の係合爪３４３は、通水管３２の外面との間に隙間Ｓ（図４参照）を有しつつ、通水管３２を挟んでそれぞれが対向配置される。係合爪３４３は、上面３４１の他方の辺３４１ｂからわずかに内側の部分から下垂する。係合爪３４３は、通水管３２に対して接近又は離間する方向に撓む弾性変形可能な部材で構成されている。係合爪３４３は、上面３４１の他方の辺３４１ｂとのみ連続し、係合爪３４３の長手方向に沿う側縁は、側壁部３４２と繋がっていない。
係合爪３４３は、下端部外側に、手洗い鉢２の被係合部２５１と係合する係合突起３４５を有する。係合突起３４５は、係合爪３４３の外面から外側に向かって突出し、下端に向かうにしたがって内側に傾斜している。
【００２４】
接続管５は、図３に示すように、三つ股のフォークのような形状をしている。接続管５は、給水管４の他方の端部で、通水管３２との接続部分に設けられる。接続管５は、接続管側給水管５１と、フランジ部５３と、差し込み部５２と、を有する。
【００２５】
接続管側給水管５１は、接続管５が給水管４に取り付けられた状態で、給水管４の一部を構成し、水を通水管３２へ送る管状の部分である。接続管側給水管５１は、通水管３２の内径よりも小さな内径を有し、通水管３２の内側に挿入される。
【００２６】
フランジ部５３は、接続管側給水管５１の外周に設けられる。図３に示すように、フランジ部５３は、接続管側給水管５１の延びる方向に直交する方向に延びる略長方形の板面である。フランジ部５３の略中央部に、接続管側給水管５１が貫通しており、フランジ部５３は、接続管側給水管５１を挟んで両外側に延出している。
【００２７】
差し込み部５２は、フランジ部５３の外側端部から手洗い吐水管３側へ、接続管側給水管５１に沿って延びる縦長の部材である。差し込み部５２は、断面視でＴ字状に形成されており、接続管側給水管５１を挟んで向かい合うように配置される板面５２ａと、その板面５２ａに直交して通水管３２に近付く側へ延びる部分５２ｂとで構成されている。差し込み部５２の長さは、係合部３４における解放された下面から上面３４１までの距離、すなわち側壁部３４２の長手方向の長さと略一致する。
【００２８】
図４を参照して、手洗い吐水管３を手洗い鉢２に取り付ける手順を説明する。
まず、手洗い鉢２の挿入孔２５の上方から、通水管３２を挿入孔２５に差し込む。このとき、挿入孔２５の下方側の内部には、内側に向かって部分的に幅の狭くなった被係合部２５１が形成されている。このため、通水管３２を挿入孔２５に差し込んでいくと、通水管３２の下端側に形成された係合部３４の係合爪３４３が弾性変形する。係合爪３４３の下方端部に形成された係合突起３４５は、挿入孔２５の内壁面をスライド移動し、被係合部２５１を乗り越えるように弾性変形して、乗り越えたところで被係合部２５１に係止する。また、係合爪３４３は、上面３４１からわずかに内側（通水管３２側）に形成されているので、被係合部２５１の上端には、上面３４１の他方の辺３４１ｂが当接する。
【００２９】
次に、給水管４を構成する接続管側給水管５１を、手洗い鉢２の挿入孔２５の下方から上方へ向かって差し込む。
【００３０】
接続管側給水管５１を通水管３２に向かって押し込むと、係合爪３４３と通水管３２との間の隙間Ｓの側方を覆うように配置されている向かい合う側壁部３４２と、通水管３２の外面と、係合爪３４３の内面で形成された隙間Ｓに、接続管５の差し込み部５２が差し込まれる。
【００３１】
もし接続管５がなければ、係合突起３４５は、弾性変形可能な係合爪３４３に設けられているため、何らかの力が加わった衝撃で係合突起３４５が外れるということも考えられる。しかし、図４に示すように、係合爪３４３が被係合部２５１を乗り越えて係合爪３４３が元の状態に戻ると同時に、接続管５の差し込み部５２が係合爪３４３と通水管３２との間の隙間Ｓに差し込まれる。係合爪３４３は、差し込み部５２があるために、内側へ撓むことはなく、係合爪３４３の位置が維持され、係合の解除が規制される。図４のように係合部３４の係合爪３４３が被係合部２５１に係合すると、手洗い吐水管３の係合部３４は、手洗い鉢２を外して裏から接続管５を外さない限り外れない。
【００３２】
本実施形態によれば、以下の効果が奏される。
本実施形態では、手洗い付き洗浄装置１における手洗い吐水管３の接続構造において、上部が開口したタンク本体１０と、タンク本体１０の開口を覆うように配置され、手洗い用の吐水を受ける手洗い鉢２と、タンク本体１０から手洗い鉢２へ水を供給する給水管４と、給水管４に接続され、手洗い鉢２へ水を吐出する手洗い吐水管３と、を含んで構成した。また、手洗い吐水管３を、手洗い鉢２に向かって水を吐出する吐水ヘッド３１と、一端が吐水ヘッド３１に接続され水を通水する通水管３２と、手洗い鉢２に形成された被係合部２５１に係合する係合部３４と、を含んで構成した。
【００３３】
本実施形態によれば、手洗い吐水管３の係合部３４が、手洗い鉢２の被係合部２５１に係合するので、手洗い鉢２を外側タンク１２へ取り付ける際に、手洗い吐水管３を手洗い鉢２の挿入孔２５に挿入するだけで、手洗い吐水管３を容易に施工でき、不可逆的に固定することができる。
【００３４】
本実施形態によれば、給水管４を、通水管３２との接続部分に設けられ、係合部３４による係合の解除を規制する接続管５を含んで構成した。これにより、手洗い鉢２の下方に、給水管４が接続管５を有して配置され、この接続管５が係合部３４の係合を維持するように、係合の解除を規制する。手洗い吐水管３は、係合部３４が手洗い鉢２の被係合部２５１に一度係合すると、外れなくなる。よって、手洗い吐水管３を容易かつ不可逆的に固定することができる。
【００３５】
本実施形態によれば、通水管３２の外面との間に隙間を有し、通水管３２に対して接近又は離隔する方向に弾性変形可能な係合爪３４３を係合部３４に設けた。また、接続管５を、係合爪３４３と通水管３２の外面との間の隙間Ｓに差し込まれる一対の差し込み部５２を含んで構成した。これにより、一対の係合爪３４３は、手洗い鉢２の被係合部２５１にいわゆるスナップフィットにより係合するので、容易に手洗い吐水管３を給水管４に接続させることができる。また、一対の係合爪３４３と通水管３２との間の隙間Ｓに、接続管５の差し込み部５２を差し込むことで、係合爪３４３がさらに弾性変形することが規制されるので、一度係合爪３４３が被係合部２５１に係合した後、係合が解除されることが防止される。よって、上記と同様の効果を奏する。
【００３６】
本実施形態によれば、係合部３４を、係合爪３４３と通水管３２の外面との間の隙間Ｓの側方を覆うように設けられた側壁部３４２をさらに含んで構成した。これにより、接続管５の差し込み部５２を、隙間Ｓの側方を覆う側壁部３４２の間に入れることができ、接続管５を正しい位置に固定するよう側壁部３４２によってガイドすることができる。
【００３７】
なお、本発明は上記実施形態に限定されるものではなく、本発明の目的を達成できる範囲での変形、改良等は本発明に含まれる。
例えば、上記実施形態では、接続管５の差し込み部５２は、上下方向に同じ幅を有する長方形に形成されているが、これに限られない。通水管３２と係合爪３４３の間の隙間Ｓへ差し込み部５２の挿入を容易にするため、差し込み部５２の先端を、先に行くにしたがって細くなるように傾斜させてもよい。
【符号の説明】
【００３８】
１        手洗い付き洗浄装置
２        手洗い鉢
３        手洗い吐水管
４        給水管
５        接続管
１０      タンク本体
２５      挿入孔
３１      吐水ヘッド（吐水口部）
３２      通水管
３４      係合部
５２      差し込み部
５３      フランジ部
３４２    側壁部
３４３    係合爪
Ｓ        隙間
【図１】
0006654427.tif 000002
【図２】
0006654427.tif 000003
【図３】
0006654427.tif 000004
【図４】
0006654427.tif 000005